(57)【特許請求の範囲】
【請求項１】
壁面に所定の間隔で突設される突設部材と、突設部材の先端に締付ボルトにより取付けられる押さえ部材とを備え、突設部材に形成された受け面と押さえ部材に形成された押さえ面との間にフェンスの被挟着部を挟み、締付ボルトを締付けて壁面に固定することができるフェンスの支持具であって、前記押さえ部材より突設部材に至る係合片を突出し、フェンスの被挟着部を締付ボルトと係合片との間に位置させると共に、前記締付ボルトを中心に押さえ部材は突設部材に対して回動可能であり、且つ係合片の先端部において内方に突設された係合突起が突設部材の側面に形成されたガイド部を通って係止壁に係止されるようになされたことを特徴とするフェンスの支持具。
【請求項２】
突設部材の先端に押さえ部材を取付ける締付ボルトの取付位置は、突設部材及び押さえ部材の軸心から偏位していることを特徴とする請求項１に記載のフェンスの支持具。
【請求項３】
請求項１又は２に記載のフェンスの支持具によってフェンスが壁面に取付けられたことを特徴とするフェンスの取付構造。
【発明の詳細な説明】
【技術分野】
【０００１】
本発明は、フェンスを壁面などに固定するためのフェンスの支持具及び取付構造に関するものであり、特に、建築構造物の壁面を緑化させる際に植物を支持させるためのフェンスの支持具及びフェンスの取付構造に関するものである。
【背景技術】
【０００２】
一般に、建築構造物の壁面を緑化するために、地面にかずら等のつる性植物類を植えて外壁を植物で覆う方法は昔から行われているが、この方法では、植物が壁面全体を覆うには比較的長期間かかり、又、植物の生長方向が一様でなく、植物に覆われていない箇所が生じやすいという問題点があった。そこで、壁面と所定の間隔を開けて線状体を取付け、その線材に沿って植物を生長させて壁面を緑化させる際に、前記線状体を壁面に取付けるための支持具が提案されている（例えば、特許文献１参照。）。
【０００３】
この支持具は、壁面に所定の間隔で突設された支柱と、この支柱の端部に連結固定された筒状であり筒壁に線状体を受け止める受溝を有するクランプと、このクランプに取付けられ線状体を挟持固定するロックねじとを含み、格子状に配置された線状体を壁面に取付ける際に、線状体の交差部が該クランプに固定されるようになされた支持具であり、比較的簡単な操作で線状体を壁面に取付けることができ、又、線状体を任意の配置パターンで壁面に張り渡すことができる。
【特許文献１】特開２００４−３４６９８４号公報
【発明の開示】
【発明が解決しようとする課題】
【０００４】
しかしながら、前記の支持具には次のような問題点があった。すなわち前記支持具において、線状体はクランプに形成された筒壁の溝部のみで受け止められているため、線状体の長さ方向に位置ずれを起こすおそれがあった。又、施工誤差による前記支持具に取付位置のずれが生じた場合、線状体の取付位置を調整することが難しく、特に線状体の交差部を予め接合した格子状のフェンスを取付ける際は、支持具や線状体に無理な力がかかって施工性が低下するおそれがあり、これらに問題点があった。
【０００５】
本発明は、前記の如き問題点を解消し、フェンスを壁面に取付ける際に、施工誤差による位置ずれを吸収する機構を有し、かつ、取付けられたフェンスが位置ずれし難いフェンスの支持具及び取付構造を提供せんとするものである。
【課題を解決するための手段】
【０００６】
上記目的を達成するために、本発明は次のような構成としている。
すなわちこの発明に係るフェンスの支持具は、壁面に所定の間隔で突設される突設部材と、突設部材の先端に締付ボルトにより取付けられる押さえ部材とを備え、突設部材に形成された受け面と押さえ部材に形成された押さえ面との間にフェンスの被挟着部を挟み、締付ボルトを締付けて壁面に固定することができるフェンスの支持具であって、前記押さえ部材より突設部材に至る係合片を突出し、フェンスの被挟着部を締付ボルトと係合片との間に位置させると共に、前記締付ボルトを中心に押さえ部材は突設部材に対して回動可能であり、且つ係合片の先端部において内方に突設された係合突起が突設部材の側面に形成されたガイド部を通って係止壁に係止されるようになされたことを特徴とするものである。
【０００７】
又本発明に係るフェンスの取付構造は、本発明に係るフェンスの支持具によってフェンスが壁面に取付けられたことを特徴とするものである。
【発明の効果】
【０００８】
本発明によれば、壁面にフェンスを取付ける際、施工誤差や壁面の不陸等により、本発明に係る支持具が当初の取付位置からずれて壁面に取付けられても、フェンスは突設部材の受け面と押さえ部材の押さえ面との間に位置していれば挟着することができるので、前記フェンスは壁面に対して無理なく取付けられる。
【０００９】
本発明に係るフェンスの支持具において、突設部材の先端に押さえ部材を取付ける締付ボルトの取付位置は、突設部材及び押さえ部材の軸心から偏位しているようになされれば、締付ボルトの取付位置が中心部にある場合に比べて、フェンスの被挟着部を挟着した後に、その位置調整の範囲を広くとれるため、フェンス取付け時の、位置調整が更に容易となる。
【００１０】
又、本発明に係るフェンスの支持具において、締付ボルトを中心に押さえ部材は突設部材に対して回動可能であり、且つ係合片の先端部において内方に突設された係合突起が突設部材の側面に形成されたガイド部を通って係止壁に係止されるようになされれば、フェンスの被挟着部を締付ボルトと係止片との間に位置させて挟着することによって、フェンスの被挟着部は容易には外れなくなる。
【発明を実施するための最良の形態】
【００１１】
次に、本発明を実施するための最良の形態について図面を参照し、具体的に説明する。
【００１２】
すなわち、図１は本発明に係るフェンスの支持具において実施の一形態を示す斜視図、図２は図１の断面図、図３は図１の主要部の一部拡大斜視図、図４は図３の押さえ部材の裏面図である。
【００１３】
図面において、1は植物を支持するためのフェンス、２は突設部材、３は突設部材２の先端に取付けられた押さえ部材であり、本形態に係るフェンスの支持具Ｐは、突設部材２、及び押さえ部材３から主に構成され、壁面Ｗに取付けられると共に、フェンス１を壁面Ｗに固定するためのものである。
【００１４】
まず、フェンス１は、植物を巻きつかせて生長させる支持材料であれば、特に限定されるものではなく、例えば、縦横の線材を格子状に組み合わせたもの、サインカーブ状あるいは鋸歯状等の波形に形成された線材を格子状に組み合わせたもの、線材が縦方向のみに並行に配置されたもの、あるいはこれらを組み合わせたもの、線材が右斜め及び左斜めに配置されて菱形状の網目が形成されたもの、線材の代わりに合成繊維や紐等を用いたもの、金属板に並行かつ千鳥状に配列された切れ目を多数形成させて切れ目を網目状に拡げてなるエキスパンドメタルでもよい。又、線材や紐等の交点は、溶接や止め金具等による接合、互いに組み合わせた接合、互いに結び合わせた接合等により接合されてもよく、交点で接合されない形態でもよい。
【００１５】
本形態に係るフェンス１は、いずれも亜鉛めっきが施された多数本の鉄製の線材１１を格子状に組合せ、その格子の各交点は電気溶接により接合され、更に表面全体を樹脂で被覆されたものであり、生産性や防錆性能等を考慮すると本形態がより好ましい。このフェンス１は支持具Ｐを介して壁面Ｗに間隔を開けて取付けられると共に、つる性植物等を支持して生長させ、壁面Ｗを緑化させるための植物支持材料である。対象壁面が建築構造物の場合は、地面から上向きに植物を生長させてもよいし、屋上から下向きに植物を生長させてもよい。
【００１６】
又、本形態に係るフェンス１の格子の大きさは、特に限定されるものではないが、１０ｃｍ角程度とすると、植物がフェンスの格子を伝って生長する際に、横方向より垂直方向に生長しやすい傾向を示すため、比較的短期間でフェンス全面の緑化がなされる。そして、地面に近い壁面Ｗにフェンスを取付ける際は、格子の横間隔を５ｃｍ程度にすると、格子に靴や人の足が入りにくくなり、人が容易にはよじ登れなくなる。又、壁面Ｗとフェンスとの間隔を１０ｃｍ程度とすると、同様な効果によって、植物は壁面Ｗの方に向かっては生長しにくく、フェンスの格子を伝って生長しやすくなる。
【００１７】
続いて、図１に示されたフェンスの支持具Ｐは、壁面Ｗに突設される突設部材２と、突設部材２の先端に取付けられた押さえ部材３とからなり、突設部材２は、壁面Ｗに固着された基部４と基部４の先端に取付けられた受け部材５とからなり、基部４と受け部材５との外径は同程度になされている。そして、受け部材５の先端に受け面５２が形成されると共に、この受け面５２に相対向して押さえ部材３に押さえ面３１が形成され、そしてこの受け面５２と押さえ面３１とでフェンス１の線材１１を挟着することにより、所定の間隔を開けて、フェンス１が壁面Ｗに取付けられるようになされている。
【００１８】
受け部材５は、一端には雄ねじ部５１が形成され、基部４の雌ねじ部４１と螺合されると共に、他端には受け面５２が形成され、更に押さえ部材３が取付けられた断面略円形の形態である。又、雄ねじ部５１には固定ナット５３が螺合され、雄ねじ部５１の先端の残余箇所で基部４の雌ねじ部４１と螺合されている。これによって、受け部材５を回動させれば基部４に対して進退するため、壁面Ｗに不陸が生じている場合は、その不陸に対して受け部材５の位置調整が容易となり、位置調整後に固定ナット５３を基部４側に回動させて基部４の端面を締付けることによって、受け部材５はその位置からは不用意には動かないようになされる。
【００１９】
押さえ部材３は、一面に押さえ面３１が形成された断面円形状でその外径は突設部材２と同程度となされ、締付ボルト６によって受け部材５に取付けられ、受け部材５の受け面５２に押さえ面３１が相対向して配置されるようになされている。そして、締付ボルト６は、突設部材及び押さえ部材の軸心から偏位した位置で取付けられている。これによって、フェンス１の線材１１を押さえ面３１と受け面５２とで挟着する際、締付ボルト６に対する軸心側の挟着可能域が締付ボルト６を中心に配置した場合に比べて広くなり、施工誤差等による位置ずれが生じていても、この領域でこの施工誤差等を吸収しやすくなり、フェンス１を無理なく且つ容易に取付けることができる。
【００２０】
締付ボルト６は、受け部材５に形成された雌ねじ部５４に螺合されているが、押さえ部材３に形成された挿通孔３２の内壁面は平坦に形成されているため、螺合していない状態で取付けら、この挿通孔３２は、押さえ部材３の突端側に締付ボルト６の頭部が挿入されるように段部がされている。これによって、押さえ部材３は、締付ボルト６の長さの範囲で移動可能であり、かつ締付ボルト６を軸として回動可能となされる。
【００２１】
又、押さえ部材３には、受け部材５に向かって係合片３３が突出しており、受け部材５の側面に形成されたガイド部５５に係合される。具体的には、係合片３３の先端部には内側に突設された係合突起３４を有し、この係合突起３４はガイド部５５を通ってガイド部５５の端部の係止壁５６に係止されるようになされる。ガイド部５５の押さえ部材５側の側壁面には抜け止め突起５７が形成されている。この構造によって、押さえ部材３の係止片３３の係止突起３４を、ガイド部５５に沿って係止壁まで移動させることによって、押さえ部材３と受け部材５と係合させ、抜け止め突起５７により係止突起３４は戻りにくくなり、この係合が外れにくいようになされる。
【００２２】
又、締付ボルト６には、円筒状の弾性材６１が挿通され、係止突起３４をガイド部５５に通した際に、弾性材６１が押さえ面３１と受け面５２とに挟まれて、収縮することによって弾性力が生じるようになされている。係止突起３４をガイド部５５の係止壁５６まで移動させると、この弾性力によって、係止突起３４の内側面とガイド部５５の押さえ部材５側の側壁面とが圧接され、係止突起３４がガイド部５５からより抜け出しにくくなされる。
【００２３】
突設部材２及び押さえ部材３は、本形態では鋼材あるいは亜鉛材から形成されたものであるが、必要に応じて、めっき等による耐食性や耐久性を向上させる処理を施してもよく、その他の金属であるアルミニウム材やステンレス鋼等の比較的耐食性の優れた金属材料を用いてもよく、壁面Ｗやフェンス１の色彩や景観性を考慮して、更に表面に塗装を施してもよいし、フィルムやシートを貼着させてもよい。
【００２４】
本形態に係る支持具Ｐを用いてフェンス１を壁面Ｗに取付ける取付方法を説明する。まず、所定の間隔をおいて壁面Ｗに設けられたアンカーボルト７に、突設部材２の基部４を螺合させる。アンカーボルト７には、金属や硬質の合成樹脂よりなる本体１２の両端面に弾性部材１３、１４が取付けられた円盤状のベース材１５が挿通されており、支持具Ｐは、ベース材１５を介して壁面Ｗに取付けられる。これによって、突設部材２を壁面Ｗに取付ける際、突設部材２に必要以上に力がかかってアンカーボルト７に螺合されても、その力は弾性部材で吸収されて壁面Ｗが破損する恐れが少なくなり、又、突設部材２とベース材１５との間、及びベース材１５と壁面Ｗとの間からは雨水等が浸入しにくくなる。更に、基部４は、その端面に弾性部材１４が圧着された状態となるため、外部からの振動等が基部４に加わっても、アンカーボルト７に対して不用意に回動しにくくなされる。尚、基部４の側面にはアンカーボルト７に螺合させる際に、締付工具を嵌め合わせるための平坦面４２が相対向して形成されている。
【００２５】
続いて、図２の（ａ）に示されるように、締付ボルト６を用いて押さえ部材３を受け部材５に取付ける。この際、受け面５２と押さえ面３１との間隔は、フェンス１の線材１１の幅より充分広い状態にする。そして、フェンス１の横線材１１が前記締付ボルト６に載置されるように取付ける。こうすれば、フェンス１は支持具Ｐによって支えらた状態となり、フェンス１から手を離しても落下することはない。この状態で、壁面Ｗの不陸や施工誤差に対して、受け部材５の雄ねじ部５１を回動させて支持具Ｐの位置調整を行うことができる。本形態では、フェンス１の横線材１１の位置調整範囲をなるべく広く確保するために、締付ボルト６が下方に位置するようになされている。
【００２６】
そして、図２の（ｂ）に示されるように、押さえ部材３の係止片３３を受け部材５に係合させる。すなわち、係止片３３の係合突起３４を受け部材５のガイド部５５を通して係止壁５６に係止させる。これによって、横線材１１は、押さえ面３１と受け面５２とによって規制されると共に、下方は締付ボルト６によって規制され、上方は係止片３４によって規制されるので、支持具Ｐから容易には外れないようになされる。更に、締付ボルト６を締付けることによって、横線材１１は押さえ面３１と受け面５２とによって挟まれ、上下方向には用意に位置ずれしないようになされる。
【００２７】
尚、フェンス１の線材１１が押さえ面３１と受け面５２とで挟着される際、挟着される箇所は、線材１１の任意の箇所でよく、交差部１６でもよいし、交差部１６以外の箇所でもよい。もっともフェンス１が本形態の如く横線材１１と縦線材１１とからなる場合は、縦線材１１を挟着すれば左右の動きが締付ボルト６及び係止片３３によって阻止されるものの、挟着力が弱い場合は下方向に位置ずれするおそれがある。横線材１１を挟着すれば、挟着力が弱い場合にも、フェンス１自体の自重を締付ボルト６によって支えることができるので、横線材１１を挟着する方がより好ましい。
【産業上の利用可能性】
【００２８】
本発明によれば、壁面を植物により緑化する場合、植物の支持材料となるフェンスを壁面に取付ける際に、施工誤差による位置ずれを吸収し、取付けられたフェンスが位置ずれしにくくなるため、例えば、既存の建築構造物の壁面や道路の法面の緑化に好適に利用される。
【図面の簡単な説明】
【００２９】
【図１】本発明に係るフェンスの支持具において実施の一形態を示すである。
【図２】図１の断面図である。
【図３】図１の一部拡大斜視図である。
【図４】図３の押さえ部材の裏面図である。
【符号の説明】
【００３０】
１    フェンス
２    突設部材
３    押さえ部材
４    基部
５    受け部材
６    締付ボルト
１１  （鉄製、縦、横）線材
３１  押さえ面
３３  係合片
３４  係合突起
５２  受け面
５５  ガイド部
Ｐ    フェンスの支持具
Ｗ    壁面
【図１】
0004607794.tif 000002
【図２】
0004607794.tif 000003
【図３】
0004607794.tif 000004
【図４】
0004607794.tif 000005